【手続補正書】
【提出日】平成21年12月14日(2009.12.14)
【手続補正１】
【補正対象書類名】特許請求の範囲
【補正対象項目名】全文
【補正方法】変更
【補正の内容】
【特許請求の範囲】
【請求項１】
入力映像信号がテレシネによって生成されたインターレース信号であることを判別するフィルム検出装置であって、
現フィールドの１フィールド前のフィールドである前フィールドと、前記現フィールドの１フィールド後のフィールドである次フィールドとの間における映像のフレーム間の動きを、スカラー量またはベクトル量として検出するフレーム動き検出手段と、
前記現フィールドと前記前フィールドまたは前記次フィールドとの間における映像のフィールド間の動きを、スカラー量またはベクトル量として検出するフィールド動き検出手段と、
前記フレーム動き検出手段の検出結果と、前記フィールド動き検出手段の検出結果とを少なくとも用いて、フレーム間では映像に動きが存在し、かつ、フィールド間では映像が静止していることの確からしさを算出するモーションジャダー検出手段と、
少なくとも前記モーションジャダー検出手段の検出結果を用いて、前記入力映像信号がテレシネによって生成されたインターレース信号であることの確からしさを算出するフィルム判定手段と
を有するフィルム検出装置。
【請求項２】
前記モーションジャダー検出手段は、
所定の変換関数を用いて、フレーム間では映像に動きが存在し、かつ、フィールド間では映像が静止していることの確からしさを算出し、
前記所定の変換関数は、
前記フィールド間の動き以外の変数が一定という条件の下では、前記フィールド間の動きが０と等しいか、または前記フィールド間の動きが前記フレーム間の動きと等しいか、のいずれか一方が満たされる場合に絶対値が最大となり、
前記フィールド間の動きが０であるときの前記所定の変換関数の絶対値、または前記フィールド間の動きが前記フレーム間の動きと等しいときの前記所定の変換関数の絶対値、の少なくともいずれか一方は、前記フレーム間の動きの大きさに対して単調非減少である
請求項１に記載のフィルム検出装置。
【請求項３】
前記モーションジャダー検出手段は、
フレーム間では映像に動きが存在し、かつ、前記現フィールドと前記前フィールドとの間では映像が静止していることが相対的により確からしい場合と、フレーム間では映像に動きが存在し、かつ、前記現フィールドと前記次フィールドとの間では映像が静止していることが相対的により確からしい場合とで、検出結果の符号が異なる
請求項１に記載のフィルム検出装置。
【請求項４】
入力映像信号がテレシネによって生成されたインターレース信号であることを判別するフィルム検出装置であって、
現フィールドの１フィールド前のフィールドである前フィールドと、前記現フィールドの１フィールド後のフィールドである次フィールドとの間における映像のフレーム間の動きを、スカラー量またはベクトル量として検出するフレーム動き検出手段と、
前記現フィールドと、前記次フィールドとの間における映像のフィールド間の動きを、スカラー量またはベクトル量として検出する第１のフィールド動き検出手段と、
前記現フィールドと、前記前フィールドとの間における映像のフィールド間の動きを、スカラー量またはベクトル量として検出する第２のフィールド動き検出手段と、
前記フレーム動き検出手段の検出結果と前記第１のフィールド動き検出手段の検出結果とを少なくとも用いて、フレーム間では映像に動きが存在し、かつ、フィールド間では映像が静止していることの確からしさを算出する第１のモーションジャダー検出手段と、
前記フレーム動き検出手段の検出結果と前記第２のフィールド動き検出手段の検出結果とを少なくとも用いて、フレーム間では映像に動きが存在し、かつ、フィールド間では映像が静止していることの確からしさを算出する第２のモーションジャダー検出手段と、
少なくとも前記第１のモーションジャダー検出手段の検出結果と、前記第２のモーションジャダー検出手段の検出結果とを用いて、前記入力映像信号がテレシネによって生成されたインターレース信号であることの確からしさを算出するフィルム判定手段と
を有するフィルム検出装置。
【請求項５】
前記第１のモーションジャダー検出手段は、
第１の変換関数を用いて、フレーム間では映像に動きが存在し、かつ、フィールド間では映像が静止していることの確からしさを算出し、
前記第２のモーションジャダー検出手段は、
第２の変換関数を用いて、フレーム間では映像に動きが存在し、かつ、フィールド間では映像が静止していることの確からしさを算出し、
前記第１の変換関数の絶対値は、
前記フレーム間の動きの大きさに関して単調非減少であり、前記第１のフィールド動き検出手段で検出されたフィールド間の動きの大きさに関して単調非増加であって、
前記第２の変換関数の絶対値は、
前記フレーム間の動きの大きさに関して単調非減少であり、前記第２のフィールド動き検出手段で検出されたフィールド間の動きの大きさに関して単調非増加である
請求項４に記載のフィルム検出装置。
【請求項６】
前記フィルム判定手段は、
前記第１のモーションジャダー検出手段の検出結果と、前記第２のモーションジャダー検出手段の検出結果との比または差に応じて、前記入力映像信号がテレシネによって生成されたインターレース信号であることの確からしさを算出する
請求項４または５に記載のフィルム検出装置。
【請求項７】
前記モーションジャダー検出手段は、
前記フレーム動き検出手段の検出結果と、前記フィールド動き検出手段の検出結果とを少なくとも用いて、第１の画像領域について、フレーム間では映像に動きが存在し、かつ、フィールド間では映像が静止していることの確からしさを算出する演算手段と、
前記演算手段の演算結果を空間方向に積算することによって、前記第１の画像領域よりも相対的に大きい第２の画像領域について、フレーム間では映像に動きが存在し、かつ、フィールド間では映像が静止していることの確からしさを算出する積算手段と、を含み、
前記フィルム判定手段は、
前記積算手段の積算結果のみ、または前記演算手段の演算結果と前記積算手段の積算結果の両方を前記モーションジャダー検出手段の検出結果として用いる
請求項１から６のいずれか一に記載のフィルム検出装置。
【請求項８】
入力映像信号がテレシネによって生成されたインターレース信号であることを判別するフィルム検出装置であって、
前記入力映像信号を１フィールド遅延させる第１の遅延手段と、
前記入力映像信号を２フィールド遅延させる第２の遅延手段と、
前記入力映像信号と、前記第２の遅延手段の出力映像信号とを用いて、映像のフレーム間の動きを、スカラー量またはベクトル量として検出するフレーム動き検出手段と、
前記入力映像信号と、前記第１の遅延手段の出力映像信号とを用いて、映像のフィールド間の動きを、スカラー量またはベクトル量として検出する第１のフィールド動き検出手段と、
前記第１の遅延手段の出力映像信号と、前記第２の遅延手段の出力映像信号とを用いて映像のフィールド間の動きを、スカラー量またはベクトル量として検出する第２のフィールド動き検出手段と、
前記フレーム動き検出手段の検出結果と前記第１のフィールド動き検出手段の検出結果とを少なくとも用いて、フレーム間では映像に動きが存在し、かつ、フィールド間では映像が静止していることの確からしさを算出する第１のモーションジャダー検出手段と、
前記フレーム動き検出手段の検出結果と前記第２のフィールド動き検出手段の検出結果とを少なくとも用いて、フレーム間では映像に動きが存在し、かつ、フィールド間では映像が静止していることの確からしさを算出する第２のモーションジャダー検出手段と、
前記第１のモーションジャダー検出手段の検出結果を、空間方向に積算する第１の積算手段と、
前記第２のモーションジャダー検出手段の検出結果を、空間方向に積算する第２の積算手段と、
少なくとも前記第１の積算手段の積算結果と、前記第２の積算手段の積算結果とを用いて、大域的な画像領域について、前記入力映像信号がテレシネによって生成されたインターレース信号であることの確からしさを判定する第１のフィルム判定手段と、
前記第１のフィールド動き検出手段の検出結果または前記第１のモーションジャダー検出手段の検出結果のいずれか一方と、前記第２のフィールド動き検出手段の検出結果または前記第２のモーションジャダー検出手段の検出結果のいずれか一方とを少なくとも用いて、前記大域的な画像領域の一部領域である局所的な画像領域について、前記入力映像信号がテレシネによって生成されたインターレース信号であることの確からしさを判定する第２のフィルム判定手段と
を有するフィルム検出装置。
【請求項９】
入力映像信号がテレシネによって生成されたインターレース信号であることを判別するフィルム検出装置であって、
前記入力映像信号を１フィールド遅延させる第１の遅延手段と、
前記入力映像信号を２フィールド遅延させる第２の遅延手段と、
前記入力映像信号を３フィールド遅延させる第３の遅延手段と、
前記第１の遅延手段の出力映像信号と、前記第３の遅延手段の出力映像信号とを用いて、映像のフレーム間の動きを、スカラー量またはベクトル量として検出するフレーム動き検出手段と、
前記入力映像信号と、前記第１の遅延手段の出力映像信号とを用いて、映像のフィールド間の動きを、スカラー量またはベクトル量として検出する第１のフィールド動き検出手段と、
前記第１の遅延手段の出力映像信号と、前記第２の遅延手段の出力映像信号とを用いて、映像のフィールド間の動きを、スカラー量またはベクトル量として検出する第２のフィールド動き検出手段と、
前記第２の遅延手段の出力映像信号と、前記第３の遅延手段の出力映像信号とを用いて、映像のフィールド間の動きを、スカラー量またはベクトル量として検出する第３のフィールド動き検出手段と、
前記フレーム動き検出手段の検出結果と、前記第１のフィールド動き検出手段の検出結果とを少なくとも用いて、フレーム間では映像に動きが存在し、かつ、フィールド間では映像が静止していることの確からしさを算出する第１のモーションジャダー検出手段と、
前記フレーム動き検出手段の検出結果と、前記第２のフィールド動き検出手段の検出結果とを少なくとも用いて、フレーム間では映像に動きが存在し、かつ、フィールド間では映像が静止していることの確からしさを算出する第２のモーションジャダー検出手段と、
前記第１のモーションジャダー検出手段の検出結果を、空間方向に積算する第１の積算手段と、
前記第２のモーションジャダー検出手段の検出結果を、空間方向に積算する第２の積算手段と、
少なくとも前記第１の積算手段の積算結果と、前記第２の積算手段の積算結果とを用いて、大域的な画像領域について、前記入力映像信号がテレシネによって生成されたインターレース信号であることの確からしさを判定する第１のフィルム判定手段と、
少なくとも前記第２のフィールド動き検出手段の検出結果と、前記第３のフィールド動き検出手段の検出結果とを用いて、前記大域的な画像領域の一部領域である局所的な画像領域について、前記入力映像信号がテレシネによって生成されたインターレース信号であることの確からしさを判定する第２のフィルム判定手段と
を有するフィルム検出装置。
【請求項１０】
前記フィルム検出装置は、
前記フレーム動き検出手段の検出結果を用いて、映像がフレーム間で静止していることの確からしさを判定する静止画判定手段をさらに有し、
前記フィルム判定手段は、
前記静止画判定手段の判定結果に応じて、前記入力映像信号がテレシネによって生成されたインターレース信号であることの確からしさを変化させる
請求項１から９のいずれか一に記載のフィルム検出装置。
【請求項１１】
前記フィルム判定手段は、
１つ以上の前記モーションジャダー検出手段の検出結果の時系列を用いて、有限離散個のパターンを生成するパターン発生手段と、
前記パターン発生手段で生成したパターンと照合するためのパターンを１つ以上格納するパターン格納手段と、
前記パターン発生手段が発生したパターンと、前記パターン格納手段に格納されているパターンのいずれかとが合致したときに、前記入力映像信号がテレシネによって生成されたインターレース信号であることの確からしさを増加させるパターン照合手段と、を含む
請求項１から１０のいずれか一に記載のフィルム検出装置。
【請求項１２】
前記フィルム判定手段は、
１つ以上の前記モーションジャダー検出手段の検出結果の時系列と、前記静止画判定手段の判定結果の時系列とを用いて、有限離散個のパターンを生成するパターン発生手段と、
前記パターン発生手段で生成したパターンと照合するためのパターンを１つ以上格納するパターン格納手段と、
前記パターン発生手段が発生したパターンと、前記パターン格納手段に格納されているパターンのいずれかとが合致したときに、前記入力映像信号がテレシネによって生成されたインターレース信号であることの確からしさを増加させるパターン照合手段と、を含む
請求項１０に記載のフィルム検出装置。
【請求項１３】
前記フィルム検出装置は、
前記フレーム間の動きと前記フィールド間の動きを用いて、連続する２フィールドにわたって映像にフィールド間の動きが存在することの確からしさを判定する動画判定手段をさらに有し、
前記フィルム判定手段は、
前記動画判定手段の判定結果に応じて、前記入力映像信号がテレシネによって生成されたインターレース信号であることの確からしさを変化させる
請求項１から１２のいずれか一に記載のフィルム検出装置。
【請求項１４】
インターレース信号である入力映像信号をプログレッシブ信号に変換する映像信号処理装置であって、
現フィールドの１フィールド前のフィールドである前フィールドと、前記現フィールドの１フィールド後のフィールドである次フィールドとの間における映像のフレーム間の動きを、スカラー量またはベクトル量として検出するフレーム動き検出手段と、
前記現フィールドと前記前フィールドまたは前記次フィールドとの間における映像のフィールド間の動きを、スカラー量またはベクトル量として検出するフィールド動き検出手段と、
前記フレーム動き検出手段の検出結果と、前記フィールド動き検出手段の検出結果とを少なくとも用いて、フレーム間では映像に動きが存在し、かつ、フィールド間では映像が静止していることの確からしさを算出するモーションジャダー検出手段と、
少なくとも前記モーションジャダー検出手段の検出結果に応じて、前記入力映像信号をプログレッシブ信号に変換する方法を変化させる順次走査変換手段と
を有する映像信号処理装置。
【請求項１５】
インターレース信号である入力映像信号をプログレッシブ信号に変換する映像信号処理装置であって、
前記映像信号処理装置は、請求項１から１３のいずれか一に記載のフィルム検出装置と、
前記入力信号をプログレッシブ信号に変換する順次走査変換手段と、を少なくとも有し、
前記順次走査変換手段は、前記フィルム判定手段の判定結果に応じて、前記入力映像信号をプログレッシブ信号に変換する方法を変化させる
映像信号処理装置。
【請求項１６】
入力映像信号がテレシネによって生成されたインターレース信号であることを判別するフィルム検出方法であって、
現フィールドの１フィールド前のフィールドである前フィールドと、前記現フィールドの１フィールド後のフィールドである次フィールドとの間における映像のフレーム間の動きＭを、スカラー量またはベクトル量として検出するステップと、
前記現フィールドと前記前フィールドまたは前記次フィールドとの間における映像のフィールド間の動きｍを、スカラー量またはベクトル量として検出するステップと、
前記フレーム間の動きＭと、前記フィールド間の動きｍとを少なくとも用いて、フレーム間では映像に動きが存在し、かつ、フィールド間では映像が静止していることの確からしさＪを算出するステップと、
少なくとも前記確からしさＪを用いて、前記入力映像信号がテレシネによって生成されたインターレース信号であることの確からしさを算出するステップと
を含むフィルム検出方法。
【請求項１７】
入力映像信号がテレシネによって生成されたインターレース信号であることを判別するフィルム検出方法であって、
現フィールドの１フィールド前のフィールドである前フィールドと、前記現フィールドの１フィールド後のフィールドである次フィールドとの間における映像のフレーム間の動きＭを、スカラー量またはベクトル量として検出するステップと、
前記現フィールドと前記次フィールドとの間における映像のフィールド間の動きｍ１を、スカラー量またはベクトル量として検出するステップと、
前記現フィールドと前記前フィールドとの間における映像のフィールド間の動きｍ２を、スカラー量またはベクトル量として検出するステップと、
前記フレーム間の動きＭと前記フィールド間の動きｍ１とを少なくとも用いて、フレーム間では映像に動きが存在し、かつ、フィールド間では映像が静止していることの確からしさＪ１を算出するステップと、
前記フレーム間の動きＭと前記フィールド間の動きｍ２とを少なくとも用いて、フレーム間では映像に動きが存在し、かつ、フィールド間では映像が静止していることの確からしさＪ２を算出するステップと、
少なくとも前記確からしさＪ１と、前記確からしさＪ２とを用いて、前記入力映像信号がテレシネによって生成されたインターレース信号であることの確からしさを算出するステップと
を含むフィルム検出方法。
【請求項１８】
入力映像信号がテレシネによって生成されたインターレース信号であることを判別するフィルム検出方法であって、
前記入力映像信号を１フィールド遅延させて１フィールド遅延信号を得るステップと、
前記入力映像信号を２フィールド遅延させて２フィールド遅延信号を得るステップと、
前記入力映像信号と、前記２フィールド遅延信号とを用いて、映像のフレーム間の動きＭを、スカラー量またはベクトル量として検出するステップと、
前記入力映像信号と、前記１フィールド遅延信号とを用いて、映像のフィールド間の動きｍ１を、スカラー量またはベクトル量として検出するステップと、
前記１フィールド遅延信号と、前記２フィールド遅延信号とを用いて、映像のフィールド間の動きｍ２を、スカラー量またはベクトル量として検出するステップと、
前記フレーム間の動きＭと前記フィールド間の動きｍ１とを少なくとも用いて、フレーム間では映像に動きが存在し、かつ、フィールド間では映像が静止していることの確からしさｊ１を算出するステップと、
前記フレーム間の動きＭと前記フィールド間の動きｍ２とを少なくとも用いて、フレーム間では映像に動きが存在し、かつ、フィールド間では映像が静止していることの確からしさｊ２を算出するステップと、
前記確からしさｊ１を、空間方向に積算して積算値Ｊ１を得るステップと、
前記確からしさｊ２を、空間方向に積算して積算値Ｊ２を得るステップと、
少なくとも前記積算値Ｊ１と、前記積算値Ｊ２とを用いて、大域的な画像領域について、前記入力映像信号がテレシネによって生成されたインターレース信号であることの確からしさを判定するステップと、
前記フィールド間の動きｍ１または前記確からしさｊ１のいずれか一方と、前記フィールド間の動きｍ２または前記確からしさｊ２のいずれか一方とを少なくとも用いて、前記大域的な画像領域の一部領域である局所的な画像領域について、前記入力映像信号がテレシネによって生成されたインターレース信号であることの確からしさを判定するステップと
を含むフィルム検出方法。
【請求項１９】
入力映像信号がテレシネによって生成されたインターレース信号であることを判別するフィルム検出方法であって、
前記入力映像信号を１フィールド遅延させて１フィールド遅延信号を得るステップと、
前記入力映像信号を２フィールド遅延させて２フィールド遅延信号を得るステップと、
前記入力映像信号を３フィールド遅延させて３フィールド遅延信号を得るステップと、
前記１フィールド遅延信号と、前記３フィールド遅延信号とを用いて、映像のフレーム間の動きＭを、スカラー量またはベクトル量として検出するステップと、
前記入力映像信号と、前記１フィールド遅延信号とを用いて、映像のフィールド間の動きｍ１を、スカラー量またはベクトル量として検出するステップと、
前記１フィールド遅延信号と、前記２フィールド遅延信号とを用いて、映像のフィールド間の動きｍ２を、スカラー量またはベクトル量として検出するステップと、
前記２フィールド遅延信号と、前記３フィールド遅延信号とを用いて、映像のフィールド間の動きｍ３を、スカラー量またはベクトル量として検出するステップと、
前記フレーム間の動きＭと、前記フィールド間の動きｍ１とを少なくとも用いて、フレーム間では映像に動きが存在し、かつ、フィールド間では映像が静止していることの確からしさｊ１を算出するステップと、
前記フレーム間の動きＭと、前記フィールド間の動きｍ２とを少なくとも用いて、フレーム間では映像に動きが存在し、かつ、フィールド間では映像が静止していることの確からしさｊ２を算出するステップと、
前記確からしさｊ１を、空間方向に積算して積算値Ｊ１を得るステップと、
前記確からしさｊ２を、空間方向に積算して積算値Ｊ２を得るステップと、
少なくとも前記積算値Ｊ１と、前記積算値Ｊ２とを用いて、大域的な画像領域について、前記入力映像信号がテレシネによって生成されたインターレース信号であることの確からしさを判定するステップと、
少なくとも前記フィールド間の動きｍ２と、前記フィールド間の動きｍ３とを用いて、前記大域的な画像領域の一部領域である局所的な画像領域について、前記入力映像信号がテレシネによって生成されたインターレース信号であることの確からしさを判定するステップと
を含むフィルム検出方法。
【請求項２０】
インターレース信号である入力映像信号をプログレッシブ信号に変換する映像信号処理方法であって、
現フィールドの１フィールド前のフィールドである前フィールドと、前記現フィールドの１フィールド後のフィールドである次フィールドとの間における映像のフレーム間の動きＭを、スカラー量またはベクトル量として検出するステップと、
前記現フィールドと前記前フィールドまたは前記次フィールドとの間における映像のフィールド間の動きｍを、スカラー量またはベクトル量として検出するステップと、
前記フレーム間の動きＭと、前記フィールド間の動きｍとを少なくとも用いて、フレーム間では映像に動きが存在し、かつ、フィールド間では映像が静止していることの確からしさｊを算出するステップと、
少なくとも前記確からしさｊに応じて、前記入力映像信号をプログレッシブ信号に変換する方法を変化させるステップと
を含む映像信号処理方法。